(57)【要約】【課題】  本発明の目的は角パイプを用いて棚枠等を組立て構築する際にボルト止めによって着脱自在に接続できる角パイプ相互をＬ型またはＴ型に接続できる接続用継手を提供することにある。【解決手段】  角筒状基底部からその左右両横方向および上方向に、角パイプに嵌入するための接続用角筒部を正面Ｔ型形状に突設し、該角筒状基底部と各接続用角筒部との接続部の正面両側には各接続用角筒部に嵌合する角パイプの両側端面を受け止めるための段状衝合部が夫々形成され、これら各接続用角筒部には正面方向から夫々６角状孔を透設し、これら６角状孔に略同形の６角状ナットを夫々嵌着し、角パイプを各接続用角筒部に夫々ボルト結合できるように構成したことを特徴とする角パイプを平面Ｔ型に接続するための継手。【選択図】  図１
2006077795.tif 000002
【特許請求の範囲】
【請求項１】
角筒状基底部からその左右両横方向および上方向に、角パイプに嵌入するための接続用角筒部を正面Ｔ型形状に突設し、該角筒状基底部と各接続用角筒部との接続部の正面両側には各接続用角筒部に嵌合する角パイプの両側端面を受け止めるための段状衝合部が夫々形成され、これら各接続用角筒部には正面方向から夫々６角状孔を透設し、これら６角状孔に略同形の６角状ナットを夫々嵌着し、角パイプを各接続用角筒部に夫々ボルト結合できるように構成したことを特徴とする角パイプを平面Ｔ型に接続するための継手。
【請求項２】
角パイプを嵌入するための接続用角筒部を角筒状基底部の左右いずれかの横方向および上方向に正面Ｌ型形状に突設し、各接続用角筒部と該角筒状基底部との接続部の正面両側には各接続用角筒部に嵌合する角パイプの端面を受け止めるための段状衝合部が夫々形成され、これら各接続用角筒部には正面方向から夫々６角状孔を透設し、これら６角状孔に略同形の６角状ナットを夫々嵌着し、角パイプを各接続用角筒部に夫々ボルト結合できるように構成したことを特徴とする角パイプを平面Ｌ型に接続するための継手。
【請求項３】
上方向の接続用角筒部の正面中央部に６角状孔を透設し、これに同形の６角状ナットを嵌着すると共に横方向の接続用角筒部の突出長を上方向の接続用角筒部の突出長の約２倍長とし、該横方向の接続用角筒部の内側半部の正面中央部に６角状孔を透設しこれに同形の６角状ナットを嵌着する請求項１または２記載の継手。
【請求項４】
角筒状基底部および横方向の接続用角筒部の外側半部に夫々該基底部および外側半部の各外形に合わせた空洞を正面から透設して軽量化構造とした請求項１から３までのいずれか１項記載の継手。
【請求項５】
６角状透孔および透設空洞を有する継手の正面形状を押出面としてアルミニウムもしくはアルミニウム合金を押出成型して押出方向所望厚みに裁断し、上記の６角状透孔に同形の鉄鋼製のナットを嵌着した請求項１から４までのいずれか１項記載の継手。
【発明の詳細な説明】
【技術分野】
【０００１】
本発明は角パイプを平面Ｌ型またはＴ型に接続するための角パイプ継手に関する。
【背景技術】
【０００２】
従来においても角パイプ等を例えばＬ型に接続するための継手ないしは接続部材として種々のものが知られているが、角パイプを簡単かつ自在に着脱可能に接続するものは知られていなかった。
【０００３】
【特許文献１】特開平７−２０８４１６公報
【特許文献２】特開２００２−５７４７７公報
【特許文献３】特開２００３−２４７５１６公報
【発明の開示】
【発明が解決しようとする課題】
【０００４】
本発明の目的は角パイプを用いて棚枠等を組立て構築する際にボルト止めによって着脱自在に接続できる角パイプ相互を平面Ｌ型またはＴ型に接続できる接続用継手を提供することにある。
【課題を解決するための手段】
【０００５】
本発明は角筒状基底部からその左右両横方向および上方向に、角パイプに嵌入するための接続用角筒部を正面Ｔ型形状に突設し、該角筒状基底部と各接続用角筒部との接続部の正面両側には各接続用角筒部に嵌合する角パイプの両側端面を受け止めるための段状衝合部が夫々形成され、これら各接続用角筒部には正面方向から夫々６角状孔を透設し、これら６角状孔に略同形の６角状ナットを夫々嵌着し、角パイプを各接続用角筒部に夫々ボルト結合できるように構成したことを特徴とする角パイプを平面Ｔ型に接続するための継手に係わる。
【０００６】
更に本発明は角パイプを嵌入するための接続用角筒部を角筒状基底部の左右いずれかの横方向および上方向に正面Ｌ型形状に突設し、各接続用角筒部と該角筒状基底部との接続部の正面両側には各接続用角筒部に嵌合する角パイプの端面を受け止めるための段状衝合部が夫々形成され、これら各接続用角筒部には正面方向から夫々６角状孔を透設し、これら６角状孔に略同形の６角状ナットを夫々嵌着し、角パイプを各接続用角筒部に夫々ボルト結合できるように構成したことを特徴とする角パイプを平面Ｌ型に接続するための継手に係わる。
【０００７】
また本発明は上記において上方向の接続用角筒部の正面中央部に６角状孔を透設し、これに同形の６角状ナットを嵌着すると共に横方向の接続用角筒部の突出長を上方向の接続用角筒部の突出長の約２倍長とし、該横方向の接続用角筒部の内側半部の正面中央部に６角状孔を透設しこれに同形の６角状ナットを嵌着する継手に係わる。
【０００８】
また本発明は角筒状基底部および横方向の接続用角筒部の外側半部に夫々該基底部および外側半部の各外形に合わせた空洞を正面から透設して軽量化構造とした継手に係わる。
【０００９】
また本発明は上記において６角状透孔および透設空洞を有する継手の正面形状を押出面としてアルミニウムもしくはアルミニウム合金を押出成型して押出方向所望厚みに裁断し、上記の６角状透孔に同形の鉄鋼製のナットを嵌着した継手に係わる。
【００１０】
また本発明は上記において１個の角パイプ継手を用いて３本あるいは２本の角パイプを正面Ｔ型あるいはＬ型に接続する角パイプの接続方法に係わる。
【発明の効果】
【００１１】
本発明の継手は、接続すべき角パイプの端面開口にブロック金具の接続角筒部を嵌入し、該嵌入角パイプの嵌入端面に近接した位置で接続角筒部に嵌着したナットに角パイプの孔に頭部をワッシャ等を介して係合させたボルトをねじ込み、当該角パイプ壁面を継手面とボルト頭部との間に締付け挟持して継手金具と角パイプを着脱自在に接続する方式であるので、接続操作が容易かつ迅速に行うことができ、かつ接続強度にも優れている。
【００１２】
また継手のブロック金具のナット嵌着部を除く全面に亘って複数の独立したくり抜き部を形成した複数画壁構造であるため軽量でしかも継手としての強度にも優れ、これをアルミニウムないしはアルミニウム合金で製作した場合、その効果が顕著である。
【００１３】
またブロック金具をアルミ製とする場合、その正面形状を断面とする長尺アルミ型材を押出し成型し、これを所定の厚みに切断することで本発明の継手を安価かつ大量に生産することができる。
【発明を実施するための最良の形態】
【００１４】
以下に本発明の継手のブロック金具をアルミ製として、アルミ製の角パイプを相互に接続するための継手について図面を用いて説明するが、本発明はこれのみに制約されるものではない。
【実施例１】
【００１５】
図１はアルミニウム製の角パイプを平面Ｔ型に接続するためのアルミニウム製の継手を示し、角筒状基底部（Ａ）からその左右両横方向および上方向に接続すべき角パイプ（Ｐ１）（Ｐ２）（Ｐ３）に嵌入するための接続用角筒部（Ｂ）（Ｂ’）および（Ｃ）を正面Ｔ型形状に突設し、角筒状基底部（Ａ）と接続用角筒部（Ｂ）（Ｂ）（Ｃ）との接続部の正面両側には角パイプ（Ｐ１）（Ｐ２）（Ｐ３）の正面両側端面を受け止めるための段状衝合部（１）（１’）が夫々形成され、これら角筒部（Ｂ）（Ｂ’）（Ｃ）には正面方向から夫々６角状孔（２）を透設し、これら６角状孔（２）に略同形の鉄鋼製の６角状ナット（３）を嵌着してある。
（４）はナット（３）のねじ孔を示す。
角筒状基底部（Ａ）にはその外形（横長の長方形）に合わせた同じく長方形の空洞（５）がくり抜かれている。
角筒部（Ｃ）はその中央部に６角状孔（２）を透設できる突出長さ（図面では正面略正方形）としているが、角筒部（Ｂ）（Ｂ’）は角筒部（Ｃ）の突出長さの約２倍長の突出長さとし、角筒部（Ｂ）（Ｂ’）の内側半部の正面中央部に６角状孔（２）を夫々透設し、角筒部（Ｂ）（Ｂ’）の外側半部にその外形に合わせた同じく正方形の空洞（６）が夫々くり抜かれている。
継手は正面形状を押出面としてアルミニウムもしくはアルミニウム合金を押出し成型して押出方向所望厚みに裁断し、上記の６角状透孔に略同形の鉄鋼製ナットをプレス嵌着して作られる。
【００１６】
図２はパイプ（Ｐ１）（Ｐ２）（Ｐ３）と本発明の継手との接続方法を説明したもので、図１のように角筒部（Ｃ）に嵌合したパイプ（Ｐ３）はパイプ（Ｐ３）に予めあけられた孔（７）を通して外部からねじ孔（４）にねじ込まれるボルト（８）によって継手と締め付け固定される。
（９）はボルト（８）の頭部、（１０）はワッシャ、（１１）はスプリングワッシャを示す。
かくしてパイプ（Ｐ３）はボルト頭部（９）と角筒部（Ｃ）の埋込みナット（３）との間で強固に締め付け固定される。
【実施例２】
【００１７】
図３は角パイプを正面Ｌ型に接続するための継手を示し、上方向の接続用角筒部（Ｄ）の正面中央部に６角状孔（２）を透設しこれに略同形の６角状ナット（３）を嵌着すると共に横方向の接続角筒部（Ｅ）の突出長さを上方向の角筒部（Ｄ）の突出長さの約２倍長としその内側半部の正面中央に６角状孔（２）を透設し、これに略同形の６角状ナット（３）を嵌着する。
角筒部（Ｄ）の外側半部には正面から同形の空洞（６）があけられている。
（１）（１’）は接続すべき角パイプ（Ｐ４）（Ｐ５）の正面両側端面を受け止めるための段状衝合部である。
（５）は角筒状基底部（Ａ）にあけた同形の空洞を示す。
継手の製造および継手を用いた角パイプ（Ｐ４）（Ｐ５）の接続は実施例１の場合と同様に実施される。
【図面の簡単な説明】
【００１８】
【図１】実施例１の継手金具の使用態様を示す平面図
【図２】同上のパイプとの接続を示す説明図
【図３】実施例２の継手金具の使用態様を示す平面図
【符号の説明】
【００１９】
Ａ……角筒状基底部
Ｂ，Ｂ’……接続用角筒部
Ｃ……接続用角筒部
Ｄ……接続用角筒部
Ｅ……接続用角筒部
Ｐ１〜Ｐ５……角パイプ
１，１’……段状衝合部
２……６角状孔
３……６角状ナット
４……ねじ孔
５……空洞
６……空洞
７……パイプの孔
８……ボルト
９……ボルト頭部
１０……ワッシャ
１１……スプリングワッシャ
【図１】
2006077795.tif 000003
【図２】
2006077795.tif 000004
【図３】
2006077795.tif 000005